(57)【要約】【課題】部材が水面に落下した場合であっても、当該部材の水没を防止して容易に取り出すことができる水面上作業時の部材の水没防止方法を提供する。【解決手段】水面または液面（以下、水面という。）ＷＬ上において部材Ｓの移動作業を行う際に、部材Ｓの落下による水没を防止する方法であって、部材Ｓを水面に浮かせる浮力を付与可能な伸縮展開式の浮上補助機構１０を部材Ｓに設置した後で、部材Ｓの移動作業を行うようにする。ここで、浮上補助機構１０を、非膨脹状態で収縮してカバー１４内へ収納する一方、膨脹状態で伸張してカバー１４外へ膨出する浮袋本体１６と、この浮袋本体１６に取り付けられ、水の浸入または手動操作により浮袋本体１６に膨張用の気体を送り込む気体充填装置１８とを含んで構成してもよい。【選択図】図１
2015158093.tif 000002
【特許請求の範囲】
【請求項１】
水面または液面（以下、水面という。）上において部材の移動作業を行う際に、前記部材の落下による水没を防止する方法であって、
前記部材を水面に浮かせる浮力を付与可能な伸縮展開式の浮上補助機構を前記部材に設置した後で、前記部材の移動作業を行うことを特徴とする水面上作業時の部材の水没防止方法。
【請求項２】
前記浮上補助機構を、非膨脹状態で収縮してカバー内へ収納する一方、膨脹状態で伸張してカバー外へ膨出する浮袋本体と、この浮袋本体に取り付けられ、水の浸入または手動操作により前記浮袋本体に膨張用の気体を送り込む気体充填装置とを含んで構成したことを特徴とする請求項１に記載の水面上作業時の部材の水没防止方法。
【請求項３】
前記浮上補助機構を、前記部材に複数設置したことを特徴とする請求項１または２に記載の水面上作業時の部材の水没防止方法。
【請求項４】
前記浮上補助機構を、前記部材に噛み込ませて設置したことを特徴とする請求項１〜３のいずれか一つに記載の水面上作業時の部材の水没防止方法。
【請求項５】
前記浮上補助機構を、前記部材に瞬間接着剤で固定したことを特徴とする請求項１〜３のいずれか一つに記載の水面上作業時の部材の水没防止方法。
【請求項６】
前記浮上補助機構を、前記部材の鉄部に対して磁力により固定したことを特徴とする請求項１〜３のいずれか一つに記載の水面上作業時の部材の水没防止方法。
【発明の詳細な説明】
【技術分野】
【０００１】
本発明は、水面上構造物の改修・解体工事などの水面上作業時の部材の水没防止方法に関するものである。
【背景技術】
【０００２】
従来、水面上構造物の改修・解体工事において（例えば、特許文献１を参照）、作業に伴って外した鉄骨等の部材を水中に落下させると、引き上げ作業にダイバーなどが必要となり、工程の遅延やコスト増など様々な問題をひき起こすこととなる。これを防止するためには、外した部材をしっかりと保持することが大切である。
【０００３】
こうした工事の際に部材を保持する方法としては、図８に示すように、（１）ワイヤー１等で部材Ｍを吊りながら外す、（２）ブームやアーム先に取り付けた治具によって、しっかりと部材Ｍを把持する等の方法を選択することが一般的に知られている。しかし、（１）の場合には、ワイヤーを取り付けるために部材まで作業員が行かなければならず、足場などが十分に準備できない等様々な理由によって、作業員が当該場所にたどり着けないことがある。このように、（１）のワイヤー等で当該部材を留める方法（いわゆる玉掛け）が困難となる場合には（２）の方法を採ることになる。
【０００４】
撤去する部材を上記（２）の方法で把持し、落下を防止しながら撤去する方法を採る場合においても、掴みが甘い場合や、掴んだ場所が重心から外れており、取り付け場所から切り出した場合などにバランスを崩して落下するケースや、部材を切り出したことにより他の部材の剛性が失われ、または微妙なバランスが崩れ、辛うじて落下を免れていた部材が意図せず母材から外れて落下するケースなどが考えられる。
【先行技術文献】
【特許文献】
【０００５】
【特許文献１】特開２０１２−２２５００２号公報
【発明の概要】
【発明が解決しようとする課題】
【０００６】
このため、部材が水面に落下した場合であっても、当該部材を水中から容易に取り出せること、すなわち部材の水没を防止する技術が求められていた。
【０００７】
本発明は、上記に鑑みてなされたものであって、部材が水面に落下した場合であっても、当該部材の水没を防止して容易に取り出すことができる水面上作業時の部材の水没防止方法を提供することを目的とする。
【課題を解決するための手段】
【０００８】
上記した課題を解決し、目的を達成するために、本発明に係る水面上作業時の部材の水没防止方法は、水面または液面（以下、水面という。）上において部材の移動作業を行う際に、前記部材の落下による水没を防止する方法であって、前記部材を水面に浮かせる浮力を付与可能な伸縮展開式の浮上補助機構を前記部材に設置した後で、前記部材の移動作業を行うことを特徴とする。
【０００９】
また、本発明に係る他の水面上作業時の部材の水没防止方法は、上述した発明において、前記浮上補助機構を、非膨脹状態で収縮してカバー内へ収納する一方、膨脹状態で伸張してカバー外へ膨出する浮袋本体と、この浮袋本体に取り付けられ、水の浸入または手動操作により前記浮袋本体に膨張用の気体を送り込む気体充填装置とを含んで構成したことを特徴とする。
【００１０】
また、本発明に係る他の水面上作業時の部材の水没防止方法は、上述した発明において、前記浮上補助機構を、前記部材に複数設置したことを特徴とする。
【００１１】
また、本発明に係る他の水面上作業時の部材の水没防止方法は、上述した発明において、前記浮上補助機構を、前記部材に噛み込ませて設置したことを特徴とする。
【００１２】
また、本発明に係る他の水面上作業時の部材の水没防止方法は、上述した発明において、前記浮上補助機構を、前記部材に瞬間接着剤で固定したことを特徴とする。
【００１３】
また、本発明に係る他の水面上作業時の部材の水没防止方法は、上述した発明において、前記浮上補助機構を、前記部材の鉄部に対して磁力により固定したことを特徴とする。
【発明の効果】
【００１４】
本発明に係る水面上作業時の部材の水没防止方法によれば、水面または液面（以下、水面という。）上において部材の移動作業を行う際に、前記部材の落下による水没を防止する方法であって、前記部材を水面に浮かせる浮力を付与可能な伸縮展開式の浮上補助機構を前記部材に設置した後で、前記部材の移動作業を行うので、仮に、部材の移動作業中に当該部材が水面に落下した場合であっても、浮上補助機構による浮力の作用によって当該部材は水面に浮く。このため、部材の水没を防止するとともに、この部材を水中から容易に取り出すことができるという効果を奏する。
【００１５】
また、本発明に係る他の水面上作業時の部材の水没防止方法によれば、前記浮上補助機構を、非膨脹状態で収縮してカバー内へ収納する一方、膨脹状態で伸張してカバー外へ膨出する浮袋本体と、この浮袋本体に取り付けられ、水の浸入または手動操作により前記浮袋本体に膨張用の気体を送り込む気体充填装置とを含んで構成したので、水の浸入があった場合や手動操作がされた場合にのみ気体充填装置から膨張用の気体が送り込まれて、浮袋本体は膨張状態となり、部材が落下せず水面に着水しない場合などには浮袋本体は非膨張状態を維持する。このように、浮上補助機構は水没防止対応が必要なときのみ作動し、不意に作動することはない。したがって、水面上作業の進行を妨げるおそれがないという効果を奏する。
【００１６】
また、本発明に係る他の水面上作業時の部材の水没防止方法によれば、前記浮上補助機構を、前記部材に複数設置したので、部材の水没をより確実に防止することができるという効果を奏する。
【００１７】
また、本発明に係る他の水面上作業時の部材の水没防止方法によれば、前記浮上補助機構を、前記部材に噛み込ませて設置したので、部材が水面に落下した際などにおいて、部材から浮上補助機構が脱落しにくくなるという効果を奏する。
【００１８】
また、本発明に係る他の水面上作業時の部材の水没防止方法によれば、前記浮上補助機構を、前記部材に瞬間接着剤で固定したので、部材が水面に落下した際などにおいて、部材から浮上補助機構が脱落しにくくなるという効果を奏する。また、浮上補助機構の部材への取り付けが容易に行えるという効果を奏する。
【００１９】
また、本発明に係る他の水面上作業時の部材の水没防止方法によれば、前記浮上補助機構を、前記部材の鉄部に対して磁力により固定したので、部材が水面に落下した際などにおいて、部材から浮上補助機構が脱落しにくくなるという効果を奏する。また、浮上補助機構の部材への取り付けおよび撤去が容易に行えるという効果を奏する。
【図面の簡単な説明】
【００２０】
【図１】図１は、本発明に係る水面上作業時の部材の水没防止方法の実施例を示す図である。
【図２】図２は、浮上補助機構が設置された部材（Ｈ型鋼）の一例であり、浮袋本体が非膨張状態にある場合の概略斜視図である。
【図３】図３は、浮上補助機構が設置された部材（Ｈ型鋼）の一例であり、浮袋本体が膨張状態にある場合の概略斜視図である。
【図４】図４は、浮上補助機構の気体充填装置の一例を示す図であり、（１）は分解図、（２）は組立図である。
【図５】図５は、本発明に係る水面上作業時の部材の水没防止方法の他の実施例を示す図である。
【図６】図６は、浮上補助機構が噛み込み設置される場合の概略斜視図である。
【図７】図７は、浮上補助機構が磁石により固定される場合の概略斜視図である。
【図８】図８は、従来の水面上作業の一例を示す図である。
【発明を実施するための形態】
【００２１】
以下に、本発明に係る水面上作業時の部材の水没防止方法の実施の形態を図面に基づいて詳細に説明する。なお、この実施の形態によりこの発明が限定されるものではない。
【００２２】
図１に示すように、本発明に係る水面上作業時の部材の水没防止方法は、水面または液面ＷＬ（以下、水面という。）上の構造物Ａの改修・解体工事などにおいて、作業に伴って外した例えば鉄骨Ｓ（部材）の移動作業を行う際に、鉄骨Ｓの落下による水没を防止する方法である。本発明では、鉄骨Ｓを水面ＷＬに浮かせる浮力を鉄骨Ｓに付与可能な伸縮展開式の浮上補助機構１０を鉄骨Ｓに設置した後で、この鉄骨Ｓの移動作業を行う。
【００２３】
ここで、本発明の対象とする鉄骨Ｓ（部材）が、Ｈ型鋼である場合の浮上補助機構１０の取り付け態様の一例について説明する。図２に示すように、浮上補助機構１０は、鉄骨ＳであるＨ型鋼１２の重心近傍の長手方向略中央のフランジ１２ａの外面に取り付けてある。
【００２４】
浮上補助機構１０は、左右側方に開口１４ａを有する扁平箱状のカバー１４と、このカバー１４内に収納された浮袋本体１６および気体充填装置１８とからなる。浮袋本体１６は、非膨脹状態で収縮してカバー１４内へ収納する一方、図３に示すように、膨脹状態で伸張してカバー１４の左右の開口１４ａからカバー１４外へそれぞれ膨出するものである。
【００２５】
気体充填装置１８は、カバー１４内に固定されるとともに、浮袋本体１６に取り付けられ、水の浸入または手動操作により浮袋本体１６に膨張用の気体を送り込むものである。なお、カバー１４の外面には、浮袋本体１６が収納された状態で内部へ水が浸入できるようにするために、図示しないメッシュ材を縫い付けた開口部が形成してある。
【００２６】
浮袋本体１６は、例えばナイロンの基布にポリウレタンをコーティングして防水加工を施してなるもので構成することができる。浮袋本体１６は、平坦な略長方形状を有しており、非膨張時には折り畳まれた状態でカバー１４内に収納される一方、膨張時にはガスが満杯に充填されて略直方体状となる。このような浮袋本体１６を、膨張時に図３のようにＨ型鋼１２の長手方向に沿って伸張する形状を取り得るようにするため、左右の浮袋本体１６の各一端部を接着等でカバー１４内の気体充填装置１８に取り付けてある。
【００２７】
なお、浮袋本体１６の素材は、浮体として使用可能なものであればどのようなものでもよいが、カバー１４内に折り畳めるものであることを要する。また、浮袋本体１６の長さ寸法は、膨張時にＨ型鋼１２を水面ＷＬに浮かせるのに十分な浮力を付与し得る適宜の寸法を取り得るものとする。言い換えると、落水時に、Ｈ型鋼１２と浮上補助機構１０とからなる部材全体の密度が水または液体の密度よりも低くなるようなものとする。もちろん浮袋本体１６の長さ寸法は、Ｈ型鋼１２のサイズや形態等に合わせて種々のサイズのものを用意してもよい。
【００２８】
気体充填装置１８は、カバー１４内への水の浸入または手動で浮袋本体に膨張用の炭酸ガスを送り込むものである。この気体充填装置１８としては公知のものを用いることができるが、本実施の形態では、例えば図４に示すものを用いる場合について説明する。
【００２９】
図４は、気体充填装置１８の一例であり、（１）は分解図、（２）は組立図である。この図に示すように、気体充填装置１８は、炭酸ガスボンベ２０と、開栓機構２２と、水の浸入を検知するセンサであるスプール２４と、付勢部材２６とを備える。
【００３０】
炭酸ガスボンベ２０には、二酸化炭素などの不活性ガスが内部に封入されている。この炭酸ガスボンベ２０に封入されるガスとしては、二酸化炭素に限定されるものではなく、ヘリウムガスの他、炭素や酸素などの不活性ガスであってもよい。
【００３１】
また、炭酸ガスボンベ２０の一端２０ａには、不活性ガスを内部に封止する図示しない栓が設けられている。この栓の外側には、栓を開栓するための開栓機構２２が着脱自在に螺着しており、開栓機構２２の内部には、栓との当接により栓を開栓する図示しないインサート針が設けられている。このインサート針は、栓の外側からの衝撃により栓側へ移動可能に設けられている。
【００３２】
開栓機構２２の一端２２ａには、略円筒状のスプール２４を介して付勢部材２６が螺着してある。また、開栓機構２２には、浮袋本体１６に不活性ガスを導入する導入口２８に対して連通した連通口３０と、着水時に内部に水を導入する図示しない水導入口とを有している。また、付勢部材２６は、インサート針に対し当接する突起２６ａと、突起２６ａをインサート針側に付勢する圧縮スプリング２６ｂとを備えている。
【００３３】
スプール２４は、圧縮スプリング２６ｂにより付勢された突起２６ａの移動を当接により規制するものであり、放射状に配置された複数の水溶性のカプセル型錠剤により構成されている。スプール２４、突起２６ａ、圧縮スプリング２６ｂは、付勢部材２６を開栓機構２２に螺着した時に開栓機構２２の内部に収容される。
【００３４】
この構成において、着水時に図示しない水導入口から導入された水によりスプール２４のカプセル型錠剤が溶解すると、圧縮スプリング２６ｂにより付勢された突起２６ａがインサート針と当接して炭酸ガスボンベ２０の栓を開栓し、炭酸ガスボンベ２０からの不活性ガスが連通口３０を介して浮袋本体１６に導入されて浮袋本体１６を膨張させる。また、開栓機構２２には、手動により炭酸ガスボンベ２０の栓を開栓させるための紐３２が取り付けられ、この紐３２の先端は、図示しないカバー１４の外部に飛び出している。したがって、炭酸ガスボンベ２０の栓は、作業者が必要に応じて紐３２を手で引っ張ることで強制的に開栓することができる。もちろん気体充填装置１８としては図示の例に限定されず、種々のものを採用可能である。
【００３５】
次に、本発明の動作および作用について説明する。
図１に示すように、Ｈ型鋼１２のような鉄骨Ｓ（部材）の移動作業中に当該鉄骨Ｓが水面に落下すると、浮上補助機構１０の気体充填装置１８が作動し、カバー１４から浮袋本体１６が膨出して鉄骨Ｓのフランジ外面の一部に浮袋を形成する。このため、浮上補助機構１０の浮袋本体１６による浮力の作用によって当該鉄骨Ｓは水面ＷＬに浮く。したがって、本発明によれば、部材（鉄骨Ｓ）の水没を防止するとともに、この部材を水中から容易に取り出すことができるという効果を奏する。
【００３６】
また、本発明は、水面上の構造物Ａの改修・解体工事の際、その直下等に存在する水面または液面ＷＬ上に十分な落下防止のための足場やネットを設置することができない場合において、作業に伴って鉄骨Ｓなどの部材を落下させた場合における当該部材の回収を容易にする方法として有効である。
【００３７】
また、水の浸入があった場合や手動操作がされた場合にのみ気体充填装置１８から膨張用の気体が送り込まれて、浮袋本体１６は膨張状態となり、鉄骨Ｓなどの部材が落下せず水面に着水しない場合などには浮袋本体１６は非膨張状態を維持する。このように、浮上補助機構１０は水没防止対応が必要なときのみ作動し、不意に作動することはない。したがって、水面上作業の進行を妨げるおそれがないという効果を奏する。
【００３８】
上記の実施の形態において、浮上補助機構１０を、Ｈ型鋼１２の長手方向略中央だけでなく、この部分に加えて例えば長手方向両端部にも設置することができる。このように浮上補助機構１０を部材に複数設置することで、いかなる場合においても複数の浮上補助機構１０によって、当該部材が水面下に没することを防止してもよい。このようにすれば、部材の水没をより確実に防止することができる。
【００３９】
なお、浮上補助機構１０を、部材（例えばＨ型鋼１２）の端部１箇所にのみ設置し、この部分のみが浮袋本体１６によって水面に浮くようにしてもよい。この場合、部材（Ｈ型鋼１２）が水面に落下すると、図５に示すように、浮上補助機構１０を設置した側が水面側に現れ、他端側が水没した態様となるが、このような場合でも、部材の一部が水面に露出しているので部材を水面上に引き上げることは可能である。
【００４０】
また、上記の実施の形態において、図６に示すように、浮上補助機構１０を、クランプ３４等を用いて部材（例えばＨ型鋼１２）のフランジ１２ａに噛み込ませて容易に外れないように設置してもよい。このようにすれば、部材が水面に落下した際などにおいて、部材から浮上補助機構１０が脱落しにくくなるという効果を奏する。
【００４１】
また、上記の実施の形態において、浮上補助機構１０のカバー１４を、部材（例えばＨ型鋼１２）に瞬間接着剤で固定して容易に外れないようにしてもよい。このようにすれば、部材が水面に落下した際などにおいて、部材から浮上補助機構１０が脱落しにくくなるという効果を奏する。また、浮上補助機構１０の部材への取り付けが比較的容易に行えるという効果を奏する。
【００４２】
また、上記の実施の形態において、図７に示すように、浮上補助機構１０のカバー１４を、部材（例えばＨ型鋼１２）の鉄部に対して強力な磁石３６（磁力）により固定してもよい。このようにすれば、部材が水面に落下した際などにおいて、部材から浮上補助機構１０が脱落しにくくなるという効果を奏する。また、浮上補助機構１０の部材への取り付けおよび撤去が比較的容易に行えるという効果を奏する。
【００４３】
また、上記の実施の形態においては、浮袋本体１６を、左右の開口１４ａからカバー１４外へ膨出する２つの浮袋本体１６で構成する場合について説明したが、これに限るものではなく、カバー１４の左右いずれか一方の開口１４ａから１つの浮袋本体１６が膨出する態様としてもよく、このようにしても上記と同様の作用効果を奏することができる。
【００４４】
また、上記の実施の形態においては、浮袋本体１６を、膨張時に図３のようにＨ型鋼１２の長手方向に沿って伸張する形状を取り得るようにする場合について説明したが、本発明はこれに限るものではない。例えば、浮袋本体１６をＨ型鋼１２の長手方向に直交し、フランジ面に沿う方向に伸張する形状を取り得るようにカバー１４内に収納してもよく、このようにしても上記と同様の作用効果を奏することができる。
【００４５】
また、上記の実施の形態においては、浮上補助機構１０を、Ｈ型鋼１２の重心近傍の長手方向略中央のフランジ１２ａの外面に取り付けた場合について説明したが、本発明はこれに限るものではない。例えば、浮上補助機構１０を、Ｈ型鋼１２の重心近傍以外の場所に取り付けてもよいし、さらにフランジ１２ａの内面やウェブに取り付けてもよい。このようにしてもＨ型鋼１２を水面に浮かせる浮力をＨ型鋼１２に付与可能である限り、上記と同様の作用効果を奏することができる。
【００４６】
なお、上記の実施の形態においては、部材である鉄骨ＳがＨ型鋼１２である場合について説明したが、本発明はこれに限るものではなく、部材が山型鋼や角型鋼管などである場合の他、落水時に水没のおそれがある重量部材に対しても同様に適用可能であり、いずれも上記と同様の作用効果を奏することができる。
【００４７】
以上説明したように、本発明に係る水面上作業時の部材の水没防止方法によれば、水面または液面（以下、水面という。）上において部材の移動作業を行う際に、前記部材の落下による水没を防止する方法であって、前記部材を水面に浮かせる浮力を付与可能な伸縮展開式の浮上補助機構を前記部材に設置した後で、前記部材の移動作業を行うので、仮に、部材の移動作業中に当該部材が水面に落下した場合であっても、浮上補助機構による浮力の作用によって当該部材は水面に浮く。このため、部材の水没を防止するとともに、この部材を水中から容易に取り出すことができる。
【００４８】
また、本発明に係る他の水面上作業時の部材の水没防止方法によれば、前記浮上補助機構を、非膨脹状態で収縮してカバー内へ収納する一方、膨脹状態で伸張してカバー外へ膨出する浮袋本体と、この浮袋本体に取り付けられ、水の浸入または手動操作により前記浮袋本体に膨張用の気体を送り込む気体充填装置とを含んで構成したので、水の浸入があった場合や手動操作がされた場合にのみ気体充填装置から膨張用の気体が送り込まれて、浮袋本体は膨張状態となり、部材が落下せず水面に着水しない場合などには浮袋本体は非膨張状態を維持する。このように、浮上補助機構は水没防止対応が必要なときのみ作動し、不意に作動することはない。したがって、水面上作業の進行を妨げるおそれがない。
【００４９】
また、本発明に係る他の水面上作業時の部材の水没防止方法によれば、前記浮上補助機構を、前記部材に複数設置したので、部材の水没をより確実に防止することができる。
【００５０】
また、本発明に係る他の水面上作業時の部材の水没防止方法によれば、前記浮上補助機構を、前記部材に噛み込ませて設置したので、部材が水面に落下した際などにおいて、部材から浮上補助機構が脱落しにくくなる。
【００５１】
また、本発明に係る他の水面上作業時の部材の水没防止方法によれば、前記浮上補助機構を、前記部材に瞬間接着剤で固定したので、部材が水面に落下した際などにおいて、部材から浮上補助機構が脱落しにくくなる。また、浮上補助機構の部材への取り付けが容易に行える。
【００５２】
また、本発明に係る他の水面上作業時の部材の水没防止方法によれば、前記浮上補助機構を、前記部材の鉄部に対して磁力により固定したので、部材が水面に落下した際などにおいて、部材から浮上補助機構が脱落しにくくなる。また、浮上補助機構の部材への取り付けおよび撤去が容易に行える。
【産業上の利用可能性】
【００５３】
以上のように、本発明に係る水面上作業時の部材の水没防止方法は、水面上構造物の改修・解体工事などの作業に有用であり、特に、鉄骨等の部材からなる構造物の改修・解体工事において、その直下等に存在する水面または液面上に落下防止のための足場やネットを十分に設置することができない場合において、作業に伴って外した鉄骨等の部材を誤って水面に落下させた場合における部材の回収を容易にするのに適している。
【符号の説明】
【００５４】
１０  浮上補助機構
１２  Ｈ型鋼（部材）
１２ａ  フランジ
１４  カバー
１４ａ  開口
１６  浮袋本体
１８  気体充填装置
２０  炭酸ガスボンベ
２２  開栓機構
２４  スプール
２６  付勢部材
２６ａ  突起
２６ｂ  圧縮スプリング
２８  導入口
３０  連通口
３２  紐
３４  クランプ
３６  磁石
ＷＬ  水面または液面
Ａ  構造物
Ｓ  鉄骨（部材）
【図１】
2015158093.tif 000003
【図２】
2015158093.tif 000004
【図３】
2015158093.tif 000005
【図４】
2015158093.tif 000006
【図５】
2015158093.tif 000007
【図６】
2015158093.tif 000008
【図７】
2015158093.tif 000009
【図８】
2015158093.tif 000010